(57)【特許請求の範囲】
【請求項１】
貨幣の処理を行う貨幣処理機であって、
少なくともトレーニングモードを行うことを選択できる選択手段と、
前記トレーニングモードが行われる前における前記貨幣処理機に収納されている貨幣の在高である初期在高を取得する初期在高取得手段と、
前記初期在高取得手段により取得された前記初期在高が０であるか否かを判定する判定手段と、
前記トレーニングモードが行われた後に、前記初期在高が０であるか否かという前記判定手段による判定結果によって異なる処理を行う後処理実行手段と、
を備えた、貨幣処理機。
【請求項２】
前記後処理実行手段は、前記トレーニングモードが行われた後に、前記初期在高が０であると前記判定手段により判定されたときに前記貨幣処理機の機体内に収納されている貨幣を全て機体外に投出する、請求項１記載の貨幣処理機。
【請求項３】
前記後処理実行手段は、前記トレーニングモードが行われた後に、前記初期在高が０ではないと前記判定手段により判定されたときに前記貨幣処理機の機体内に収納されている貨幣の在高を確認する処理である精査処理を行う、請求項１記載の貨幣処理機。
【請求項４】
前記初期在高と前記精査処理により検知された貨幣の在高とを比較する比較手段と、
前記比較手段による比較結果を出力する比較結果出力手段と、
を更に備えた、請求項３記載の貨幣処理機。
【請求項５】
前記比較手段により、前記精査処理により検知された貨幣の在高が前記初期在高よりも大きいと判断された場合には、前記精査処理により検知された貨幣の在高と前記初期在高との差分の貨幣を機体外に投出することを可能とする、請求項４記載の貨幣処理機。
【請求項６】
前記比較手段により、前記精査処理により検知された貨幣の在高が前記初期在高よりも小さいと判断された場合には、前記比較結果出力手段は、前記精査処理により検知された貨幣の在高と前記初期在高との差分の貨幣を機体内に投入することを操作者に促す旨の情報も出力する、請求項４記載の貨幣処理機。
【請求項７】
前記比較結果出力手段により出力された情報を表示する表示部を更に備えた、請求項４乃至６のいずれか一項に記載の貨幣処理機。
【請求項８】
前記後処理実行手段は、前記トレーニングモードが行われた後に、前記初期在高が０ではないと前記判定手段により判定されたときに前記貨幣処理機の機体内に収納されている貨幣を全て機体外に投出するとともに機体外に投出された貨幣を機体内に受入可能とする、請求項１記載の貨幣処理機。
【請求項９】
前記後処理実行手段は、前記貨幣処理機の機体内に収納されている貨幣が全て機体外に投出された後に前記貨幣処理機の機体内に投入された貨幣の在高と前記初期在高とを比較し、
（ｉ）前記貨幣処理機の機体内に投入された貨幣の在高が前記初期在高よりも大きいときには、この貨幣の在高と前記初期在高との差分の貨幣を機体外に投出することを可能とし、
（ｉｉ）前記貨幣処理機の機体内に投入された貨幣の在高が前記初期在高よりも小さいときには、この貨幣の在高と前記初期在高との差分の貨幣を機体内に投入することを操作者に促す旨の情報を出力する、請求項８記載の貨幣処理機。
【請求項１０】
前記後処理実行手段は、前記トレーニングモードが行われた後に、前記初期在高が０ではないと前記判定手段により判定されたときに前記貨幣処理機の機体内に収納されている貨幣の在高を把握している場合には、
（ｉ）前記トレーニングモードが行われた後の貨幣の在高が前記初期在高よりも大きいときには、この貨幣の在高と前記初期在高との差分の貨幣を機体外に投出することを可能とし、
（ｉｉ）前記トレーニングモードが行われた後の貨幣の在高が前記初期在高よりも小さいときには、この貨幣の在高と前記初期在高との差分の貨幣を機体内に投入することを操作者に促す旨の情報を出力する、請求項１記載の貨幣処理機。
【請求項１１】
前記選択手段により前記トレーニングモードを行うことが選択されたときに、前記貨幣処理機に収納されている貨幣の在高が不明確である場合には、前記トレーニングモードが行われる前に、前記貨幣処理機の機体内に収納されている貨幣の在高を確認する処理である精査処理が行われ、
前記初期在高取得手段は、当該精査処理により検知された貨幣の在高を前記初期在高とする、請求項１乃至１０のいずれか一項に記載の貨幣処理機。
【請求項１２】
貨幣の処理を行う貨幣処理機、および前記貨幣処理機に通信可能に接続され、当該貨幣処理機の管理を行う管理装置を備えた貨幣処理システムであって、
少なくともトレーニングモードを行うことを選択できる選択手段と、
前記トレーニングモードが行われる前における前記貨幣処理機に収納されている貨幣の在高である初期在高を取得する初期在高取得手段と、
前記初期在高取得手段により取得された前記初期在高が０であるか否かを判定する判定手段と、
前記トレーニングモードが行われた後に、前記初期在高が０であるか否かという前記判定手段による判定結果によって異なる処理を行う後処理実行手段と、
を備えた、貨幣処理システム。
【請求項１３】
貨幣処理機により貨幣の処理を行う貨幣処理方法であって、
トレーニングモードを行うことを選択手段により選択する工程と、
初期在高取得手段が、前記トレーニングモードが行われる前における前記貨幣処理機に収納されている貨幣の在高である初期在高を取得する工程と、
判定手段が、取得された前記初期在高が０であるか否かを判定する工程と、
後処理実行手段が、前記トレーニングモードが行われた後に、前記初期在高が０であるか否かによって異なる処理を行う工程と、
を備えた、貨幣処理方法。
【請求項１４】
前記後処理実行手段は、前記トレーニングモードが行われた後に、前記初期在高が０であると判定されたときに前記貨幣処理機の機体内に収納されている貨幣を全て機体外に投出する、請求項１３記載の貨幣処理方法。
【請求項１５】
前記後処理実行手段は、前記トレーニングモードが行われた後に、前記初期在高が０ではないと判定されたときに前記貨幣処理機の機体内に収納されている貨幣の在高を確認する処理である精査処理を行う、請求項１３記載の貨幣処理方法。
【請求項１６】
前記後処理実行手段は、前記トレーニングモードが行われた後に、前記初期在高が０ではないと判定されたときに前記貨幣処理機の機体内に収納されている貨幣を全て機体外に投出するとともに機体外に投出された貨幣を機体内に受入可能とする、請求項１３記載の貨幣処理方法。
【発明の詳細な説明】
【技術分野】
【０００１】
本発明は、紙幣や硬貨等の貨幣の処理を行う貨幣処理機、このような貨幣処理機を備えた貨幣処理システムおよびこのような貨幣処理機により貨幣の処理を行う貨幣処理方法に関する。
【背景技術】
【０００２】
従来から、紙幣や硬貨等の貨幣の処理を行う貨幣処理機として様々なタイプのものが知られている。具体的には、紙幣釣銭機および硬貨釣銭機が組み合わせられた貨幣釣銭機が店舗等に設置されており、顧客から受け取った紙幣や硬貨を店員が貨幣釣銭機に入金するとともに、釣銭としての紙幣や硬貨が貨幣釣銭機から出金されるようになっている。
【０００３】
このような貨幣釣銭機においては、紙幣や硬貨の入金処理や出金処理を行う間に紙幣や硬貨が機体内で詰まってしまいジャム等の異常が発生する場合がある。これに対し、操作者の技能レベルが低いときにはいきなり貨幣釣銭機内でジャム等の異常が発生したときに慌ててしまい落ち着いて対処することができないことがあり、このような操作者は自分でジャム等の異常に対処する代わりにメンテナンス員を現場に呼ぶ傾向がある。このような場合には、貨幣釣銭機を迅速に復旧させることができず、また、メンテナンス員を現場に呼ぶための費用がかかってしまう。
【０００４】
このような問題を解決するために、特許文献１には、営業時間外等において操作者に対してエラー解除操作（復旧操作）を前もって体験させることにより、実際に貨幣釣銭機においてジャム等の異常が発生したときに、前もってトレーニングを行った操作者により当該貨幣釣銭機を迅速に復旧させることができるようにすることが開示されている。また、初心者等に対しては、エラー解除操作に限らず、入金操作や出金操作のトレーニングも行われている。
【先行技術文献】
【特許文献】
【０００５】
【特許文献１】特開２０１３−４１５７２号公報
【発明の概要】
【発明が解決しようとする課題】
【０００６】
特許文献１に開示されるような貨幣釣銭機におけるエラー解除操作の体験は、トレーニング専用の貨幣釣銭機を用いて行う場合や、運用中の貨幣釣銭機を用いて行う場合がある。ここで、運用中の貨幣釣銭機を用いてエラー解除操作の体験を行った場合、エラー解除操作の体験中に操作者により機体内から取り出された貨幣は貨幣釣銭機の機体内に戻す必要がある。ただし、その貨幣が機外から送り込まれた貨幣である場合は、最終的に機外へ回収する必要がある。この取り扱いを誤ると、通常の運用に戻った際に在高異常が発生することになる。一方、トレーニング専用の貨幣釣銭機を用いてエラー解除操作の体験を行う場合についても、エラー解除の体験中に操作者により機体内から取り出された貨幣を機内に戻す運用と、機外に回収する運用とが想定され、操作者は貨幣の取り扱いに悩むことになる。同様に、エラー解除操作の体験後に貨幣釣銭機の機体内に残った貨幣についても、どのタイプの貨幣釣銭機でエラー解除操作の体験を行ったか、トレーニング専用の貨幣釣銭機においてどちらの運用に従うべきか等の条件を正確に把握していない場合、操作者は貨幣の取り扱いに悩むことになってしまう。また、入金操作や出金操作のトレーニングを行った場合にも、トレーニングに用いた貨幣の取り扱いに悩むことになってしまう。
【０００７】
本発明は、このような点を考慮してなされたものであり、トレーニングモードが行われた後に、トレーニングモードが行われる前における貨幣処理機に収納されている貨幣の在高である初期在高が０であるか否かによって異なる処理を行うことにより、トレーニング中に操作者により取り出された貨幣やトレーニング後に貨幣処理機の機体内に残った貨幣等を適切に処理することができる貨幣処理機、貨幣処理システムおよび貨幣処理方法を提供することを目的とする。
【課題を解決するための手段】
【０００８】
本発明の貨幣処理機は、貨幣の処理を行う貨幣処理機であって、少なくともトレーニングモードを行うことを選択できる選択手段と、前記トレーニングモードが行われる前における前記貨幣処理機に収納されている貨幣の在高である初期在高を取得する初期在高取得手段と、前記初期在高取得手段により取得された前記初期在高が０であるか否かを判定する判定手段と、前記トレーニングモードが行われた後に、前記初期在高が０であるか否かという前記判定手段による判定結果によって異なる処理を行う後処理実行手段と、を備えたことを特徴とする。
【０００９】
このような貨幣処理機によれば、トレーニングモードが行われた後に、初期在高が０であるか否かという判定結果によって異なる処理を行うことができるため、トレーニングモードが行われた貨幣処理機がトレーニング専用のものかあるいは運用中のものかが分からない場合でも、当該貨幣処理機がトレーニング専用のものかあるいは運用中のものかを自動的に判別することによりトレーニングモードが行われた後の処理を適切に行うことができるようになる。このため、トレーニング中に操作者により取り出された貨幣やトレーニング後に貨幣処理機の機体内に残った貨幣等を適切に処理することができる。
【００１０】
本発明の貨幣処理機においては、前記後処理実行手段は、前記トレーニングモードが行われた後に、前記初期在高が０であると前記判定手段により判定されたときに前記貨幣処理機の機体内に収納されている貨幣を全て機体外に投出するようになっていてもよい。
【００１１】
本発明の貨幣処理機においては、前記後処理実行手段は、前記トレーニングモードが行われた後に、前記初期在高が０ではないと前記判定手段により判定されたときに前記貨幣処理機の機体内に収納されている貨幣の在高を確認する処理である精査処理を行うようになっていてもよい。
【００１２】
この場合、本発明の貨幣処理機は、前記初期在高と前記精査処理により検知された貨幣の在高とを比較する比較手段と、前記比較手段による比較結果を出力する比較結果出力手段と、を更に備えていてもよい。
【００１３】
また、前記比較手段により、前記精査処理により検知された貨幣の在高が前記初期在高よりも大きいと判断された場合には、前記精査処理により検知された貨幣の在高と前記初期在高との差分の貨幣を機体外に投出することを可能とするようになっていてもよい。
【００１４】
また、前記比較手段により、前記精査処理により検知された貨幣の在高が前記初期在高よりも小さいと判断された場合には、前記比較結果出力手段は、前記精査処理により検知された貨幣の在高と前記初期在高との差分の貨幣を機体内に投入することを操作者に促す旨の情報も出力するようになっていてもよい。
【００１５】
また、本発明の貨幣処理機は、前記比較結果出力手段により出力された情報を表示する表示部を更に備えていてもよい。
【００１６】
本発明の貨幣処理機においては、前記後処理実行手段は、前記トレーニングモードが行われた後に、前記初期在高が０ではないと前記判定手段により判定されたときに前記貨幣処理機の機体内に収納されている貨幣を全て機体外に投出するとともに機体外に投出された貨幣を機体内に受入可能とするようになっていてもよい。
【００１７】
この場合、前記後処理実行手段は、前記貨幣処理機の機体内に収納されている貨幣が全て機体外に投出された後に前記貨幣処理機の機体内に投入された貨幣の在高と前記初期在高とを比較し、（ｉ）前記貨幣処理機の機体内に投入された貨幣の在高が前記初期在高よりも大きいときには、この貨幣の在高と前記初期在高との差分の貨幣を機体外に投出することを可能とし、（ｉｉ）前記貨幣処理機の機体内に投入された貨幣の在高が前記初期在高よりも小さいときには、この貨幣の在高と前記初期在高との差分の貨幣を機体内に投入することを操作者に促す旨の情報を出力するようになっていてもよい。
【００１８】
本発明の貨幣処理機においては、前記後処理実行手段は、前記トレーニングモードが行われた後に、前記初期在高が０ではないと前記判定手段により判定されたときに前記貨幣処理機の機体内に収納されている貨幣の在高を把握している場合には、（ｉ）前記トレーニングモードが行われた後の貨幣の在高が前記初期在高よりも大きいときには、この貨幣の在高と前記初期在高との差分の貨幣を機体外に投出することを可能とし、（ｉｉ）前記トレーニングモードが行われた後の貨幣の在高が前記初期在高よりも小さいときには、この貨幣の在高と前記初期在高との差分の貨幣を機体内に投入することを操作者に促す旨の情報を出力するようになっていてもよい。
【００１９】
本発明の貨幣処理機においては、前記選択手段により前記トレーニングモードを行うことが選択されたときに、前記貨幣処理機に収納されている貨幣の在高が不明確である場合には、前記トレーニングモードが行われる前に、前記貨幣処理機の機体内に収納されている貨幣の在高を確認する処理である精査処理が行われ、前記初期在高取得手段は、当該精査処理により検知された貨幣の在高を前記初期在高とするようになっていてもよい。
【００２０】
本発明の貨幣処理システムは、貨幣の処理を行う貨幣処理機、および前記貨幣処理機に通信可能に接続され、当該貨幣処理機の管理を行う管理装置を備えた貨幣処理システムであって、少なくともトレーニングモードを行うことを選択できる選択手段と、前記トレーニングモードが行われる前における前記貨幣処理機に収納されている貨幣の在高である初期在高を取得する初期在高取得手段と、前記初期在高取得手段により取得された前記初期在高が０であるか否かを判定する判定手段と、前記トレーニングモードが行われた後に、前記初期在高が０であるか否かという前記判定手段による判定結果によって異なる処理を行う後処理実行手段と、を備えたことを特徴とする。
【００２１】
このような貨幣処理システムによれば、トレーニングモードが行われた後に、初期在高が０であるか否かという判定結果によって異なる処理を行うことができるため、トレーニングモードが行われた貨幣処理機がトレーニング専用のものかあるいは運用中のものかが分からない場合でも、当該貨幣処理機がトレーニング専用のものかあるいは運用中のものかを自動的に判別することによりトレーニングモードが行われた後の処理を適切に行うことができるようになる。このため、トレーニング中に操作者により取り出された貨幣やトレーニング後に貨幣処理機の機体内に残った貨幣等を適切に処理することができる。
【００２２】
本発明の貨幣処理方法は、貨幣処理機により貨幣の処理を行う貨幣処理方法であって、トレーニングモードを行うことを選択手段により選択する工程と、初期在高取得手段が、前記トレーニングモードが行われる前における前記貨幣処理機に収納されている貨幣の在高である初期在高を取得する工程と、判定手段が、取得された前記初期在高が０であるか否かを判定する工程と、後処理実行手段が、前記トレーニングモードが行われた後に、前記初期在高が０であるか否かによって異なる処理を行う工程と、を備えたことを特徴とする。
【００２３】
このような貨幣処理方法によれば、トレーニングモードが行われた後に、初期在高が０であるか否かという判定結果によって異なる処理を行うことができるため、トレーニングモードが行われた貨幣処理機がトレーニング専用のものかあるいは運用中のものかが分からない場合でも、当該貨幣処理機がトレーニング専用のものかあるいは運用中のものかを自動的に判別することによりトレーニングモードが行われた後の処理を適切に行うことができるようになる。このため、トレーニング中に操作者により取り出された貨幣やトレーニング後に貨幣処理機の機体内に残った貨幣等を適切に処理することができる。
【００２４】
本発明の貨幣処理方法においては、前記後処理実行手段は、前記トレーニングモードが行われた後に、前記初期在高が０であると判定されたときに前記貨幣処理機の機体内に収納されている貨幣を全て機体外に投出するようになっていてもよい。
【００２５】
本発明の貨幣処理方法においては、前記後処理実行手段は、前記トレーニングモードが行われた後に、前記初期在高が０ではないと判定されたときに前記貨幣処理機の機体内に収納されている貨幣の在高を確認する処理である精査処理を行うようになっていてもよい。
【００２６】
本発明の貨幣処理方法においては、前記後処理実行手段は、前記トレーニングモードが行われた後に、前記初期在高が０ではないと判定されたときに前記貨幣処理機の機体内に収納されている貨幣を全て機体外に投出するとともに機体外に投出された貨幣を機体内に受入可能とするようになっていてもよい。
【発明の効果】
【００２７】
本発明の貨幣処理機、貨幣処理システムおよび貨幣処理方法によれば、トレーニング中に操作者により取り出された貨幣やトレーニング後に貨幣処理機の機体内に残った貨幣等を適切に処理することができる。
【図面の簡単な説明】
【００２８】
【図１】本発明の実施の形態による貨幣処理システムの貨幣釣銭機、棒金収納装置およびＰＯＳレジスタの構成を示す斜視図である。
【図２】図１に示す貨幣処理システムの貨幣釣銭機、棒金収納装置およびＰＯＳレジスタの内部構成を模式的に示す構成図である。
【図３】図１に示す貨幣処理システムの制御系の構成を示す機能ブロック図である。
【図４】図１に示す貨幣処理システムの棒金収納装置において収納ドロアを筐体から引き出したときの状態を示す上面図である。
【図５】（ａ）〜（ｄ）は、図１等に示す貨幣処理システムにおいてトレーニングモードを行うことが選択されたときの操作表示部における表示内容を示す図である。
【図６】図１等に示す貨幣処理システムにおいてトレーニングモードを行うことが選択されたときの動作を示すフローチャートである。
【図７】図１等に示す貨幣処理システムにおいてトレーニングモードとして搬送エラー解除体験モードを行うことが選択されたときの動作を示すフローチャートである。
【発明を実施するための形態】
【００２９】
以下、図面を参照して本発明の実施の形態について説明する。図１乃至図７は、本実施の形態による貨幣釣銭機やこの貨幣釣銭機を備えた貨幣処理システムを示す図である。このうち、図１は、本実施の形態による貨幣処理システムの貨幣釣銭機、棒金収納装置およびＰＯＳレジスタの構成を示す斜視図であり、図２は、図１に示す貨幣処理システムの貨幣釣銭機、棒金収納装置およびＰＯＳレジスタの内部構成を模式的に示す構成図であり、図３は、図１に示す貨幣処理システムの制御系の構成を示す機能ブロック図である。また、図４は、図１に示す貨幣処理システムの棒金収納装置において収納ドロアを筐体から引き出したときの状態を示す上面図である。また、図５（ａ）〜（ｄ）は、図１等に示す貨幣処理システムにおいてトレーニングモードを行うことが選択されたときの操作表示部における表示内容を示す図である。また、図６は、図１等に示す貨幣処理システムにおいてトレーニングモードを行うことが選択されたときの動作を示すフローチャートであり、図７は、図１等に示す貨幣処理システムにおいてトレーニングモードとして搬送エラー解除体験モードを行うことが選択されたときの動作を示すフローチャートである。
【００３０】
まず、本実施の形態による貨幣処理システムの全体構成について図１を用いて説明する。図１に示すように、本実施の形態による貨幣処理システムは、上下に並べて配置された硬貨釣銭機１００および棒金収納装置４００と、これらの硬貨釣銭機１００や棒金収納装置４００の隣に並べて配置された紙幣釣銭機２００と、硬貨釣銭機１００や紙幣釣銭機２００の上方に設けられたＰＯＳレジスタ３００とを備えている。硬貨釣銭機１００および紙幣釣銭機２００は、それぞれ硬貨や紙幣の入出金処理を行うようになっている。これらの硬貨釣銭機１００および紙幣釣銭機２００により貨幣釣銭機が構成されている。また、棒金収納装置４００は、各金種の棒金硬貨（同一金種の硬貨を一定枚数だけ棒状にまとめてフィルムや包装紙等により包装したもの）を取り出し可能に収納するようになっている。また、ＰＯＳレジスタ３００は、硬貨釣銭機１００、紙幣釣銭機２００および棒金収納装置４００の管理を行う管理装置として用いられるようになっている。
【００３１】
図２は、図１に示す貨幣処理システムの硬貨釣銭機１００、紙幣釣銭機２００、棒金収納装置４００およびＰＯＳレジスタ３００の内部構成を模式的に示す構成図であり、図３は、図１に示す貨幣処理システムの制御系の構成を示す機能ブロック図である。ここで、図２において、硬貨釣銭機１００および棒金収納装置４００についてはこれらの硬貨釣銭機１００や棒金収納装置４００を上方から見たときの内部構成が模式的に示されており、紙幣釣銭機２００およびＰＯＳレジスタ３００についてはこれらの紙幣釣銭機２００やＰＯＳレジスタ３００を側方から見たときの内部構成が模式的に示されている。図２および図３に示すように、硬貨釣銭機１００は、上位制御部１２０および硬貨釣銭機制御部１３０を有しており、これらの上位制御部１２０および硬貨釣銭機制御部１３０は通信可能に接続されている。また、紙幣釣銭機２００は紙幣釣銭機制御部２３０を有しており、この紙幣釣銭機制御部２３０は硬貨釣銭機１００の上位制御部１２０に通信可能に接続されている。また、棒金収納装置４００は棒金収納装置制御部４３０を有しており、この棒金収納装置制御部４３０は硬貨釣銭機１００の上位制御部１２０に通信可能に接続されている。また、ＰＯＳレジスタ３００はＰＯＳ制御部３３０を有しており、硬貨釣銭機１００の上位制御部１２０はＰＯＳレジスタ３００のＰＯＳ制御部３３０に通信可能に接続されている。また、図示していないが、ＰＯＳレジスタ３００のＰＯＳ制御部３３０は店舗サーバ等の上位端末と通信可能に接続されている。
【００３２】
まず、硬貨釣銭機１００の構成について具体的に説明する。図１に示すように、硬貨釣銭機１００は、前部上面にタッチパネル等の操作表示部１１２が設けられた筐体１１０を備えている。筐体１１０の前部には硬貨受入部１１４および硬貨払出部１１６が設けられている。
【００３３】
硬貨受入部１１４は、硬貨投入口を介して受け入れた硬貨を１層１列状態で１枚ずつ筐体１１０内に取り込むようになっている。より詳細には、硬貨受入部１１４には繰出ベルト（図示せず）が設けられており、硬貨投入口に投入された硬貨を検知するとこの繰出ベルトが駆動されることにより当該繰出ベルトが硬貨を硬貨釣銭機１００の筐体１１０内に１枚ずつ繰り出すようになっている。また、図１に示すように、硬貨受入部１１４の硬貨投入口には当該硬貨投入口の開閉を行うシャッタ１１８が設けられており、シャッタ１１８が開かれたときに硬貨受入部１１４に硬貨を投入することができるようになっている。また、図２に示すように、硬貨受入部１１４には、当該硬貨受入部１１４により筐体１１０内に取り込まれた硬貨を搬送する入金搬送部１０３が接続されている。
【００３４】
図２に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００３５】
一方、正常硬貨等の筐体１１０内に収納されるべき硬貨は入金搬送部１０３により硬貨収納部１０６へ搬送されるようになっている。硬貨収納部１０６は硬貨を金種別に収納するようになっている。具体的には、例えば日本国で流通している硬貨の６つの金種（５００円硬貨、１００円硬貨、５０円硬貨、１０円硬貨、５円硬貨および１円硬貨）に対応して６つの硬貨収納部１０６が設けられており、入金搬送部１０３の上流側（すなわち、図２における下側）から低額順に硬貨が収納されるようになっている。
【００３６】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００３７】
また、図２に示すように、出金搬送部１０８から硬貨が選択的に送られる補助収納部１７０が設けられている。補助収納部１７０は、硬貨収納部１０６から出金搬送部１０８に繰り出された硬貨のうち硬貨払出部１１６により筐体１１０の外部に払い出されない硬貨を収納するようになっている。また、補助収納部１７０には、当該補助収納部１７０に収納された硬貨を入金経路の上流位置に繰り出す繰出搬送部１７１が設けられている。具体的には、補助収納部１７０に収納された硬貨は繰出搬送部１７１により硬貨受入部１１４に繰り出されるようになっている。
【００３８】
次に、紙幣釣銭機２００の構成について具体的に説明する。図１および図２に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外側から取り囲むように配置されている。
【００３９】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００４０】
また、周回搬送部２０３ａと各接続搬送部２０３ｂとの間で紙幣の搬送経路を切り換える経路切換部（図示せず）が、周回搬送部２０３ａに沿って配置されている。
【００４１】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられている。
【００４２】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。具体的には、３つの紙幣収納部２０６として、一万円札を収納する紙幣収納部２０６、五千円札および二千円札を混合状態で収納する紙幣収納部２０６、および千円札を収納する紙幣収納部２０６がそれぞれ設けられている。また、各紙幣収納部２０６は金種毎に紙幣の最大収納量が予め設定されている。また、各紙幣払出部２１６は、各紙幣収納部２０６から周回搬送部２０３ａに繰り出された紙幣を紙幣取出口２１６ａより機外へ放出するようになっている。
【００４３】
出金リジェクト部２０４は、紙幣収納部２０６から繰り出された紙幣のうち、斜行等の搬送異常により紙幣識別部２０１で識別することができない紙幣を出金リジェクト紙幣として収納する。また、紙幣受入部２１４から筐体２１０内に取り込まれた紙幣のうち、汚損等により紙幣識別部２０１で識別することができない紙幣は入金リジェクト紙幣として紙幣払出部２１６に返却されるようになっている。
【００４４】
紙幣回収カセット２０７は、筐体２１０に対して手前側に引き出し可能となっており、筐体２１０から紙幣回収カセット２０７を引き出すことによりこの紙幣回収カセット２０７に収納された紙幣を紙幣回収カセット２０７ごと回収することができるようになっている。紙幣回収カセット２０７の内部には図示しないステージが設けられており、接続搬送部２０３ｂから紙幣回収カセット２０７に送られた紙幣はステージ上に積層状態で集積されるようになっている。また、ステージの下部にはパンタグラフ形状の昇降機構（図示せず）が設けられており、当該昇降機構によりステージを上下方向に移動させることができるようになっている。また、紙幣回収カセット２０７の内部においてステージの上方には、当該ステージ上に集積された紙幣を接続搬送部２０３ｂに繰り出す搬送ベルト（図示せず）が設けられている。このような搬送ベルトは、紙幣回収カセット２０７に収納された紙幣を当該紙幣回収カセット２０７から接続搬送部２０３ｂに繰り出す繰出機構として機能するようになっている。
【００４５】
次に、棒金収納装置４００の構成について具体的に説明する。図１、図２および図４に示すように、棒金収納装置４００は、手前側の側面が開口している筐体４１０と、筐体４１０内に収容可能となっているとともに当該筐体４１０から手前側に引き出し可能な収納ドロア４１２とを備えており、収納ドロア４１２には各金種の棒金硬貨が例えば２列で収納されるようになっている（図４において、収納ドロア４１２に収納された各金種の棒金硬貨を斜線で示している）。ここで、収納ドロア４１２には、棒金硬貨を１本ずつ収納する収納部（ポケット）が複数個設けられており、各収納部に収納される棒金硬貨の金種毎の収納本数および位置が予め設定されている。具体的には、図４において参照符号Ａで示す領域には８本の１００円の棒金硬貨が収納可能となっており、参照符号Ｂで示す領域には１本の５００円の棒金硬貨が収納可能となっており、参照符号Ｃで示す領域には１本の５０円の棒金硬貨が収納可能となっている。また、図４において参照符号Ｄで示す領域には６本の１０円の棒金硬貨が収納可能となっており、参照符号Ｅで示す領域には４本の１円の棒金硬貨が収納可能となっており、参照符号Ｆで示す領域には１本の５円の棒金硬貨が収納可能となっている。
【００４６】
また、図２に示すように、棒金収納装置４００の筐体４１０の内部には、収納ドロア４１２が筐体４１０に完全に収容されたときに当該収納ドロア４１２を筐体４１０内にロックするためのロック部４１６が設けられている。ここで、ロック部４１６が収納ドロア４１２を筐体４１０内にロックしたときには、この収納ドロア４１２を筐体４１０から手前側に引き出すことができなくなり、よって収納ドロア４１２から棒金硬貨を取り出すことができなくなる。
【００４７】
また、棒金収納装置４００の筐体４１０における前面開口の近傍には、収納ドロア４１２が筐体４１０から手前側に引き出されたり筐体４１０の内部に戻されたりする際に当該収納ドロア４１２に収納されている棒金硬貨の金種毎の本数を検知する棒金検知部４１４が設けられている。具体的には、図２等に示すように、棒金検知部４１４は左右一対の光センサ４１４ａおよび筐体４１０からの収納ドロア４１２の引き出し量を検知するロータリエンコーダ４１４ｂを有している。ここで、各光センサ４１４ａは発光素子および受光素子を有しており、発光素子から発せられた光は、棒金収納装置４００の幅方向（図２における左右方向）に延びる光軸を通って受光素子に送られるようになっている。そして、収納ドロア４１２が筐体４１０内に完全に収容されていたり当該収納ドロア４１２が筐体４１０から完全に引き出されたりしているときには、各光センサ４１４ａにおいて発光素子から発せられた光は受光素子により受けられ、一方、収納ドロア４１２が筐体４１０から手前側に引き出されたり筐体４１０の内部に戻されたりする際に、発光素子から発せられた光が収納ドロア４１２内に収納された棒金硬貨により遮られることにより受光素子に届かなくなり、このことにより棒金硬貨の孔の有無や直径の大きさが検知されるようになる。前述したように、収納ドロア４１２において、収納される棒金硬貨の金種毎の収納本数および位置が予め設定されているため、光センサ４１４ａにより検知された棒金硬貨の孔の有無や直径の大きさ、ならびにロータリエンコーダ４１４ｂにより検知された筐体４１０からの収納ドロア４１２の引き出し量に基づいて、収納ドロア４１２に収納された棒金硬貨の金種毎の本数、および各棒金硬貨が収納ドロア４１２内の所定の位置に正しく収納されているか否か等が検知されるようになっている。
【００４８】
なお、本実施の形態による棒金収納装置４００は上記の構成のものに限定されることはない。他の構成の棒金収納装置４００において、収納ドロア４１２に収納されている棒金硬貨の金種毎の本数を検知する棒金検知部４１４として、収納ドロア４１２の収納部に収納される棒金硬貨の有無および金種（材質）を検出するセンサを全ての収納部に配置するような方式のものが用いられてもよい。
【００４９】
次に、ＰＯＳレジスタ３００の構成について具体的に説明する。ＰＯＳレジスタ３００のＰＯＳ制御部３３０は、図２に示すように、硬貨釣銭機１００の上位制御部１２０に通信可能に接続されているとともに、店舗サーバ等の上位端末（図示せず）にも通信接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の上位制御部１２０を介して棒金収納装置４００の棒金収納装置制御部４３０に指令を送ることによりロック部４１６による筐体４１０内での収納ドロア４１２のロックや当該ロックの解除を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００５０】
操作部３０４は、操作者が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の内部に収納された硬貨や紙幣の在高等の情報を表示するようになっている。また、ＰＯＳレジスタ３００には客（購入者）が視認可能な追加の表示部３０２ａが設けられており、様々な情報を表示部３０２に表示させる代わりに、あるいは表示部３０２における表示に加えて、追加の表示部３０２ａにおいて表示が行われるようになっていてもよい。また、ＰＯＳレジスタ３００にはカードリーダ３３６および印字部３３８が設けられている（図３参照、図１および図２では図示せず）。カードリーダ３３６は、操作者のＩＤカードを読み取ることにより操作者のＩＤや権限等に関する情報を取得するようになっている。また、印字部３３８は例えばプリンタから構成され、売上レシートや集計レシートに加えて、硬貨釣銭機１００や紙幣釣銭機２００に収納された硬貨や紙幣の在高等の様々な情報を印字するようになっている。
【００５１】
図３に、上述のような構成からなる貨幣処理システムの機能ブロック図を示す。図３に示すように、硬貨釣銭機１００の上位制御部１２０には、硬貨釣銭機１００のインターフェース１３２、操作表示部１１２および記憶部１３４が通信可能に接続されている。この上位制御部１２０は、インターフェース１３２により、紙幣釣銭機２００の紙幣釣銭機制御部２３０やＰＯＳレジスタ３００のＰＯＳ制御部３３０に対して信号の送受信を行うようになっている。また、操作者により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高が表示されるようになっている。また、記憶部１３４には、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。また、硬貨釣銭機１００の上位制御部１２０には、選択手段１１３、初期在高取得手段１３６、判定手段１３７、後処理実行手段１３８、比較手段１４０および比較結果出力手段１４２がそれぞれ通信可能に接続されている。これらの選択手段１１３、初期在高取得手段１３６、判定手段１３７、後処理実行手段１３８、比較手段１４０および比較結果出力手段１４２の構成の詳細については後述する。
【００５２】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６、繰出搬送部１７１等がそれぞれ通信可能に接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６、繰出搬送部１７１等の各々に対して様々な指令が送られるようになっている。
【００５３】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６等がそれぞれ通信可能に接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００５４】
棒金収納装置４００の棒金収納装置制御部４３０には、インターフェース４３２、棒金検知部４１４、ロック部４１６、記憶部４３４等がそれぞれ通信可能に接続されており、棒金検知部４１４から収納ドロア４１２内の棒金硬貨の検知結果が棒金収納装置制御部４３０に送られるとともに、棒金収納装置制御部４３０からロック部４１６に対して収納ドロア４１２を筐体４１０内にロックするか否かの指令が送られるようになっている。また、棒金収納装置４００の棒金収納装置制御部４３０は、インターフェース４３２により、硬貨釣銭機１００の上位制御部１２０に対して信号の送受信を行うようになっている。また、記憶部４３４には、棒金収納装置４００の内部に収納された棒金硬貨の在高等の様々な情報が記憶されるようになっている。
【００５５】
また、ＰＯＳレジスタ３００のＰＯＳ制御部３３０には、表示部３０２、操作部３０４、記憶部３３４、インターフェース３３２、カードリーダ３３６、印字部３３８等がそれぞれ通信可能に接続されており、操作者により操作部３０４に入力された指令が当該操作部３０４からＰＯＳ制御部３３０に送られたり、カードリーダ３３６により読み取られた操作者のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。なお、ＰＯＳ制御部３３０は、表示部３０２に様々な情報を表示させる代わりに、あるいは表示部３０２における表示に加えて、追加の表示部３０２ａにおいて表示を行わせるようになっていてもよい。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ等の上位端末（図示せず）に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。
【００５６】
本実施の形態では、上述したように、硬貨釣銭機１００の上位制御部１２０には、選択手段１１３、初期在高取得手段１３６、判定手段１３７、後処理実行手段１３８、比較手段１４０および比較結果出力手段１４２がそれぞれ通信可能に接続されている。選択手段１１３は、貨幣釣銭機において通常の処理モードの他に少なくともトレーニングモードを行うことを選択することができるようになっている。初期在高取得手段１３６は、選択手段１１３によりトレーニングモードを行うことが選択されたときにトレーニングモードが実際に行われる前に硬貨釣銭機１００や紙幣釣銭機２００に収納されている硬貨や紙幣の在高である初期在高を取得するようになっている。なお、初期在高取得手段１３６は、初期在高として、硬貨釣銭機１００や紙幣釣銭機２００に収納されている硬貨や紙幣の在高に加えて、棒金収納装置４００に収納されている棒金硬貨の在高も取得するようになっていてもよい。
【００５７】
判定手段１３７は、初期在高取得手段１３６により取得された初期在高が０であるか否かを判定するようになっている。後処理実行手段１３８は、初期在高が０であるか否かという判定手段１３７による判定結果によって異なる処理を行うようになっている。具体的には、後処理実行手段１３８は、トレーニングモードが行われた後に、初期在高が０であると判定手段１３７により判定されたときには、硬貨釣銭機１００や紙幣釣銭機２００の機体内に収納されている硬貨や紙幣を全て機体外に投出するようになっている。また、後処理実行手段１３８は、トレーニングモードが行われた後に、初期在高が０ではないと判定手段１３７により判定されたときには、硬貨釣銭機１００や紙幣釣銭機２００において後述する精査処理を行うことにより、硬貨釣銭機１００や紙幣釣銭機２００の機体内に収納されている硬貨や紙幣の在高を確認するようになっている。なお、トレーニングモードが行われた後に、上位制御部１２０が硬貨釣銭機１００や紙幣釣銭機２００の機体内に収納されている硬貨や紙幣の在高を把握している場合には、このような精査処理を行うことを省略することもできる。
【００５８】
比較手段１４０は、初期在高が０ではないと判定手段１３７により判定されたときに、初期在高取得手段１３６により取得された初期在高と、精査処理により検知された硬貨や紙幣の在高（あるいは、上位制御部１２０により把握されている硬貨や紙幣の在高）とを比較するようになっている。比較結果出力手段１４２は、比較手段１４０による比較結果を出力するようになっている。比較結果出力手段１４２により出力された、比較手段１４０による比較結果は、操作表示部１１２に表示されたり、あるいはＰＯＳレジスタ３００に送信されて当該ＰＯＳレジスタ３００の表示部３０２に表示されたりする。また、本実施の形態では、比較手段１４０による比較結果に基づいて、初期在高取得手段１３６により取得された初期在高と、精査処理により検知された硬貨や紙幣の在高（あるいは、上位制御部１２０により把握されている硬貨や紙幣の在高）とが異なる場合には、両者の間の差異を修正するような修正処理が行われる。このような修正処理の詳細については後述する。
【００５９】
次に、このような構成からなる貨幣処理システムにおいて通常モードが行われるときの動作について説明する。なお、以下に示す貨幣処理システムの動作は、硬貨釣銭機１００の硬貨釣銭機制御部１３０や紙幣釣銭機２００の紙幣釣銭機制御部２３０が硬貨釣銭機１００や紙幣釣銭機２００の各構成部材をそれぞれ制御することにより行われる。
【００６０】
まず、硬貨釣銭機１００に硬貨を入金する場合の動作について以下に説明する。硬貨釣銭機１００の硬貨受入部１１４に硬貨が受け入れられると、硬貨受入部１１４は、受け入れた硬貨を１層１列状態で１枚ずつ筐体１１０内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により出金搬送部１０８へ案内（搬送）され、出金搬送部１０８により硬貨払出部１１６に搬送される。一方、硬貨識別部１０１による硬貨の識別結果に基づいて、正常硬貨等の筐体１１０内に収納されるべき硬貨であると識別された硬貨は、入金搬送部１０３により硬貨収納部１０６へ搬送され、当該硬貨収納部１０６に金種別に収納される。
【００６１】
また、硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００６２】
また、硬貨釣銭機１００において、各硬貨収納部１０６に収納されている硬貨の在高を確認するために精査処理を行う場合には、操作者は操作表示部１１２により精査処理開始の指示を入力する。あるいは、ＰＯＳレジスタ３００のＰＯＳ制御部３３０から精査処理開始の指令が上位制御部１２０を介して硬貨釣銭機制御部１３０に送られることにより、硬貨釣銭機１００において精査処理が行われるようになる。硬貨釣銭機１００における硬貨の精査処理では、硬貨収納部１０６に収納されている硬貨が当該硬貨収納部１０６から繰り出され、繰り出された硬貨は出金搬送部１０８により補助収納部１７０へ搬送される。補助収納部１７０に収納された硬貨は繰出搬送部１７１により硬貨受入部１１４に繰り出され、当該硬貨受入部１１４に繰り出された硬貨は１層１列状態で１枚ずつ筐体１１０内に取り込まれ、取り込まれた硬貨は入金搬送部１０３により搬送される。そして、入金搬送部１０３により搬送される硬貨は硬貨識別部１０１により硬貨の識別が行われる。硬貨識別部１０１により識別された硬貨は、入金搬送部１０３により元の硬貨収納部１０６に戻される。このような動作が各金種に対応する硬貨収納部１０６毎に行われる。このようにして、硬貨識別部１０１による硬貨の識別結果に基づいて、各硬貨収納部１０６に収納されている硬貨の在高が検知されるようになる。
【００６３】
次に、紙幣釣銭機２００に紙幣を入金する場合の動作について以下に説明する。紙幣受入部２１４の紙幣受入口２１４ａに紙幣が挿入されると、紙幣受入部２１４は、紙幣受入口２１４ａに挿入された入金紙幣を一括で取り込んで、周回搬送部２０３ａ側へ１枚ずつ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納される。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００６４】
また、当該紙幣釣銭機２００から釣銭としての紙幣を出金する場合には、操作者は操作表示部１１２により出金されるべき紙幣の金種別の枚数や合計金額等を入力する。あるいは、ＰＯＳレジスタ３００のＰＯＳ制御部３３０から出金指令が上位制御部１２０を介して紙幣釣銭機制御部２３０に送られることにより、紙幣釣銭機２００から釣銭としての紙幣が出金されるようになる。紙幣釣銭機制御部２３０に対して出金指令が与えられると、紙幣収納部２０６に収納されている紙幣が当該紙幣収納部２０６から繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等の搬送異常により紙幣識別部２０１で識別することができない紙幣は、出金リジェクト紙幣として出金リジェクト部２０４に収納される。
【００６５】
また、紙幣釣銭機２００において、各紙幣収納部２０６に収納されている紙幣の在高を確認するために精査処理を行う場合には、操作者は操作表示部１１２により精査処理開始の指示を入力する。あるいは、ＰＯＳレジスタ３００のＰＯＳ制御部３３０から精査処理開始の指令が上位制御部１２０を介して硬貨釣銭機制御部１３０に送られることにより、紙幣釣銭機２００において精査処理が行われるようになる。紙幣釣銭機２００における紙幣の精査処理では、まず、紙幣回収カセット２０７に収納されているオーバーフロー紙幣等の紙幣が紙幣釣銭機２００の筐体２１０内の他の場所（例えば、紙幣払出部２１６や出金リジェクト部２０４等）に移動させられ、紙幣回収カセット２０７が空の状態となる。紙幣回収カセット２０７が空の状態になると、紙幣収納部２０６に収納されている紙幣が当該紙幣収納部２０６から繰り出され、繰り出された紙幣は紙幣識別部２０１により識別された後、周回搬送部２０３ａにより紙幣回収カセット２０７に送られる。そして、紙幣収納部２０６に収納されている紙幣が全て紙幣回収カセット２０７に送られると、紙幣回収カセット２０７に収納されている紙幣が１枚ずつ接続搬送部２０３ｂに繰り出され、周回搬送部２０３ａを経て元の紙幣収納部２０６に戻される。このような動作が各金種に対応する紙幣収納部２０６毎に行われる。このようにして、紙幣識別部２０１による紙幣の識別結果に基づいて、各紙幣収納部２０６に収納されている硬貨の在高が検知されるようになる。
【００６６】
本実施の形態の貨幣処理システムでは、硬貨釣銭機１００、紙幣釣銭機２００および棒金収納装置４００の機体内の貨幣の在高は常に上位制御部１２０により把握されるようになっている。具体的には、営業開始時や電源ＯＮ時等の所定のタイミングで、硬貨釣銭機１００や紙幣釣銭機２００において上述した精査処理が行われるようになっている。また、硬貨釣銭機１００や紙幣釣銭機２００において上述した入金処理や出金処理が行われた場合には、硬貨識別部１０１や紙幣識別部２０１による硬貨や紙幣の識別結果に基づいて硬貨釣銭機１００や紙幣釣銭機２００の機体内に収納された硬貨や紙幣の在高情報がリアルタイムで更新されるようになる。また、棒金収納装置４００では、収納ドロア４１２が筐体４１０から引き出されたり筐体４１０に戻されたりするたびに棒金検知部４１４により収納ドロア４１２内の棒金硬貨の検知が行われ、このことにより棒金収納装置４００の機体内に収納された棒金硬貨の在高情報がリアルタイムで更新されるようになる。
【００６７】
また、硬貨釣銭機１００や紙幣釣銭機２００において硬貨収納部１０６や紙幣収納部２０６から複数枚の硬貨や紙幣が一度に繰り出されたり、硬貨釣銭機１００や紙幣釣銭機２００において筐体１１０、２１０の開閉動作が行われたりした場合には、硬貨釣銭機１００や紙幣釣銭機２００の機体内に収納された硬貨や紙幣の在高情報が不確定となるため、操作表示部１１２には、硬貨釣銭機１００や紙幣釣銭機２００における在高情報が不確定となった旨の情報、および精査処理を行うことを操作者に促す旨の情報が表示されるようになる。
【００６８】
また、本実施の形態では、初心者等の操作者に対して貨幣釣銭機のエラー解除操作や入金操作、出金操作等のトレーニングを行わせることができるようになっている。本実施の形態の貨幣処理システムにおいて処理モードを通常モードからトレーニングモードに切り替える方法について、図５に示す硬貨釣銭機１００の操作表示部１１２の表示画面および図６や図７に示すフローチャートを用いて説明する。
【００６９】
図５（ａ）に、通常モードにおいて貨幣釣銭機が待機状態にあるときの硬貨釣銭機１００の操作表示部１１２の表示画面を示す。図５（ａ）に示すような画面（待機画面）が硬貨釣銭機１００の操作表示部１１２に表示されているときに、操作者が「つり銭機」のボタンを押下すると、操作表示部１１２には図５（ｂ）に示すような画面が表示され、この画面で操作者が「練習」のボタンを押下すると、操作表示部１１２には図５（ｃ）に示すようなトレーニングモードの種類の選択画面が表示される。ここで、トレーニングモードの種類としては、入金処理時や出金処理時におけるエラー解除体験、入金操作体験、出金操作体験等がある。また、通常モードにおいて貨幣釣銭機が待機状態にあるときに、ＰＯＳレジスタ３００からの指令により当該貨幣釣銭機が通常モードからトレーニングモードに遷移するようになっていてもよい。この場合には、ＰＯＳレジスタ３００のＰＯＳ制御部３３０から硬貨釣銭機１００の上位制御部１２０に指令が送られると、操作表示部１１２には図５（ｃ）に示すようなトレーニングモードの種類の選択画面が表示されるようになる。このようなトレーニングモードの種類の選択画面が操作表示部１１２に表示されているときに、操作者が例えば「硬貨入金エラー解除」にカーソルを合わせ、「決定」キーを押下すると、操作表示部１１２には図５（ｄ）に示すようなトレーニング内容を操作者にガイダンスする画面が表示されるようになる。
【００７０】
図６は、図１等に示す貨幣処理システムにおいてトレーニングモードを行うことが選択されたときの動作を示すフローチャートである。操作表示部１１２に図５（ｂ）に示すような画面が表示されているときに操作者により「練習」ボタンが押下されたり、ＰＯＳレジスタ３００のＰＯＳ制御部３３０から硬貨釣銭機１００の上位制御部１２０にトレーニングモードを行うことの指令が送られたりすると、選択手段１１３によりトレーニングモードを行うことが選択される（ＳＴＥＰ１）。この際に、初期在高取得手段１３６により、トレーニングモードが実際に行われる前に硬貨釣銭機１００や紙幣釣銭機２００に収納されている硬貨や紙幣の在高である初期在高が取得される（ＳＴＥＰ２）。なお、上述したように、初期在高取得手段１３６は、初期在高として、硬貨釣銭機１００や紙幣釣銭機２００に収納されている硬貨や紙幣の在高に加えて、棒金収納装置４００に収納されている棒金硬貨の在高を取得するようになっていてもよい。そして、操作表示部１１２に図５（ｃ）に示すような画面が表示されているときに操作者によりトレーニングモードの種類が選択されると（ＳＴＥＰ３）、操作表示部１１２には図５（ｄ）に示すようなトレーニング内容を操作者にガイダンスする画面が表示される。
【００７１】
トレーニングモードの種類として「硬貨入金エラー解除」や「紙幣入金エラー解除」が選択されたときの動作について図７に示すフローチャートを用いて説明する。トレーニングモードの種類として「硬貨入金エラー解除」や「紙幣入金エラー解除」が選択されたときには、硬貨釣銭機１００の入金搬送部１０３や紙幣釣銭機２００の周回搬送部２０３ａで硬貨や紙幣を搬送している際にジャムが発生したときのエラー解除を操作者に体験させるような搬送エラー解除体験モードが行われる。このような搬送エラー解除体験モードでは、まず、操作者が硬貨や紙幣を硬貨釣銭機１００や紙幣釣銭機２００の機体内に投入することを促す旨の画面が操作表示部１１２に表示される。そして、硬貨釣銭機１００や紙幣釣銭機２００の機体内に硬貨や紙幣が投入されると（ＳＴＥＰ１０１の「ＹＥＳ」）、これらの硬貨や紙幣が機体内に取り込まれた後、硬貨収納部１０６や紙幣収納部２０６に搬送される前に、硬貨や紙幣の搬送が途中で停止される（ＳＴＥＰ１０２）。より詳細には、搬送エラー解除体験モードが実行されているときに、硬貨釣銭機１００の硬貨受入部１１４に硬貨が受け入れられると、当該硬貨が入金搬送部１０３により搬送されて硬貨識別部１０１により識別された後、硬貨収納部１０６の手前の箇所で入金搬送部１０３による硬貨の搬送が停止されるようになる。更に具体的に説明すると、入金搬送部１０３における硬貨収納部１０６の手前の箇所には検出センサ（図示せず）が設けられており、この検出センサにより硬貨が検出されたときに入金搬送部１０３による当該硬貨の搬送が停止されるようになる。一方、搬送エラー解除体験モードが実行されているときに、紙幣受入部２１４の紙幣受入口２１４ａに紙幣が挿入されると、当該紙幣が周回搬送部２０３ａにより搬送されて紙幣識別部２０１により識別された時点で、周回搬送部２０３ａによる紙幣の搬送が停止されるようになる。このように、入金搬送部１０３や周回搬送部２０３ａによる硬貨や紙幣の搬送を途中で停止させることにより、ジャムに類似する状態を人為的に発生させることができるようになる。なお、搬送エラー解除体験モードが実行されているときには、硬貨識別部１０１や紙幣識別部２０１により識別された硬貨や紙幣は、計数結果には含まれないようになる。
【００７２】
そして、上位制御部１２０は、硬貨釣銭機１００の入金搬送部１０３や紙幣釣銭機２００の周回搬送部２０３ａによる硬貨や紙幣の搬送を途中で停止させた後、発生させられたエラーに対応したエラー解除方法に関する情報を出力する。出力されたエラー解除方法に関する情報は、硬貨釣銭機１００の操作表示部１１２に表示される（ＳＴＥＰ１０３）。具体的には、操作表示部１１２には、エラーを解除するために操作が必要な箇所の画像や復旧操作の手順が示されるようになる。
【００７３】
そして、操作者は、操作表示部１１２に表示されたエラー解除方法に従って硬貨釣銭機１００や紙幣釣銭機２００の各構成部材を操作すると、搬送が途中で停止された硬貨や紙幣を硬貨釣銭機１００や紙幣釣銭機２００の機体内から取り出すことができ、エラーが解除される（ＳＴＥＰ１０４の「ＹＥＳ」）。エラーが解除されて、装置を元の状態に戻した後、操作者が操作表示部１１２により所定の戻し操作を行うことによって（具体的には、操作表示部１１２に表示された「戻る」キーを操作者が押下することによって）（ＳＴＥＰ１０５の「ＹＥＳ」）、貨幣釣銭機において実行される処理モードがトレーニングモード（具体的には、搬送エラー解除体験モード）から通常モードに戻るようになる（ＳＴＥＰ１０６）。戻し操作が行わなければ（ＳＴＥＰ１０５の「ＮＯ」）、再び硬貨または紙幣を投入することで、エラーを発生させて、エラー解除操作を再び体験することができる。なお、他の例として、エラーが解除されると、操作者が操作表示部１１２により所定の戻し操作を行わなくても、エラー解除体験は１回限りとし、貨幣釣銭機において実行される処理モードがトレーニングモードから自動的に通常モードに戻るようになっていてもよい。このようにして、トレーニングモードが完了する。
【００７４】
また、トレーニングモードの種類として「入金操作体験」や「出金操作体験」が選択されたときには、硬貨釣銭機１００や紙幣釣銭機２００において操作者が上述した硬貨や紙幣の入金処理や出金処理を行うようになる。この際に、操作表示部１１２には、硬貨や紙幣の入金処理や出金処理を行うために操作が必要な箇所の画像や、硬貨や紙幣の入金処理や出金処理における操作の手順が示されるようになる。
【００７５】
このようにして、硬貨釣銭機１００や紙幣釣銭機２００において、選択された種類のトレーニングモードが実行され（ＳＴＥＰ４）、トレーニングモードが終了すると（ＳＴＥＰ５の「ＹＥＳ」）、判定手段１３７は、初期在高取得手段１３６により取得された初期在高が０であるか否かを判定する（ＳＴＥＰ６）。そして、後処理実行手段１３８は、初期在高が０であるか否かという判定手段１３７による判定結果によって異なる処理を行うようになる。具体的には、トレーニングモードが行われた後に、初期在高が０であると判定手段１３７により判定されたときには（ＳＴＥＰ６の「ＹＥＳ」）、後処理実行手段１３８は、硬貨釣銭機１００や紙幣釣銭機２００の機体内に収納されている硬貨や紙幣を全て機体外に投出する（ＳＴＥＰ７）。具体的には、硬貨釣銭機１００では、各硬貨収納部１０６に収納されている硬貨の枚数が比較的少ない場合には、各硬貨収納部１０６に収納されている硬貨を硬貨払出部１１６に払い出すようにし、一方、各硬貨収納部１０６に収納されている硬貨の枚数が比較的多い場合には、硬貨払出部１１６の底面に設けられた出金用開閉扉（図示せず）を開くことにより、硬貨払出部１１６の底面開口（図示せず）を介して落下した硬貨を容器に収納させて当該容器ごと硬貨を回収するようにする。また、紙幣釣銭機２００では、各紙幣収納部２０６に収納されている紙幣を紙幣払出部２１６に払い出すか紙幣回収カセット２０７に収納させて当該紙幣回収カセット２０７ごと紙幣を回収するようにする。
【００７６】
ここで、初期在高が０であると判定手段１３７により判定された場合において（ＳＴＥＰ６の「ＹＥＳ」）、後処理実行手段１３８は、トレーニングモードが行われた後に自動的に硬貨釣銭機１００や紙幣釣銭機２００の機体内に収納されている硬貨や紙幣を全て機体外に投出してもよいし、あるいは、トレーニングモードが行われた後に、硬貨釣銭機１００や紙幣釣銭機２００の機体内に収納されている硬貨や紙幣を機体外に投出することの承認を求める画面を操作表示部１１２に表示させ、操作者による承認が操作表示部１１２により入力されたときに、硬貨釣銭機１００や紙幣釣銭機２００の機体内に収納されている硬貨や紙幣を全て機体外に投出してもよい。
【００７７】
初期在高が０であると判定手段１３７により判定されたときには、トレーニングモードが行われた貨幣釣銭機はトレーニング専用のものであると考えられるため、硬貨釣銭機１００や紙幣釣銭機２００の機体内に収納されている硬貨や紙幣を全て機体外に投出することにより、操作者はトレーニングモードで用いられた貨幣の取り扱いに悩むことがなくなる。また、硬貨釣銭機１００や紙幣釣銭機２００の機体内に収納されている硬貨や紙幣を全て機体外に投出することにより、トレーニング専用の貨幣釣銭機において次回のトレーニングをスムーズに行うことができるようになる。
【００７８】
また、初期在高取得手段１３６が棒金収納装置４００に収納されている棒金硬貨の初期在高も取得している場合において、初期在高が０であると判定手段１３７により判定されたときには、棒金収納装置４００においてロック部４１６が収納ドロア４１２のロックを解除し、当該収納ドロア４１２を棒金収納装置４００の筐体４１０から引き出すことができるようにしてもよい。トレーニングモードが行われる最中に操作者が棒金収納装置４００の収納ドロア４１２に対する棒金硬貨の出し入れを行った場合には、トレーニングモードが行われた後に棒金収納装置４００の収納ドロア４１２に棒金硬貨が残っている可能性もあるため、棒金収納装置４００の収納ドロア４１２に収納されている棒金硬貨を全て棒金収納装置４００の機体外に投出する必要があるからである。
【００７９】
また、トレーニングモードが行われた後に、初期在高が０ではないと判定手段１３７により判定されたときに（ＳＴＥＰ６の「ＮＯ」）、硬貨釣銭機１００や紙幣釣銭機２００の機体内に収納されている硬貨や紙幣の在高が上位制御部１２０により把握されていない場合には（ＳＴＥＰ８の「ＮＯ」）、後処理実行手段１３８は、硬貨釣銭機１００や紙幣釣銭機２００において上述した精査処理を行うことにより（ＳＴＥＰ９）、硬貨釣銭機１００や紙幣釣銭機２００の機体内に収納されている硬貨や紙幣の在高を確認する。ここで、初期在高が０ではないと判定手段１３７により判定された場合において、後処理実行手段１３８は、トレーニングモードが行われた後に自動的に硬貨釣銭機１００や紙幣釣銭機２００において精査処理を行ってもよいし、あるいは、トレーニングモードが行われた後に、硬貨釣銭機１００や紙幣釣銭機２００において精査処理を行うことの承認を求める画面を操作表示部１１２に表示させ、操作者による承認が操作表示部１１２により入力されたときに、硬貨釣銭機１００や紙幣釣銭機２００において精査処理を行ってもよい。
【００８０】
初期在高が０ではないと判定手段１３７により判定された場合には、トレーニングモードが行われた貨幣釣銭機は運用中のものであると考えられるため、硬貨釣銭機１００や紙幣釣銭機２００の機体内に収納されている硬貨や紙幣の在高を精査処理によって確認することにより、操作者はトレーニング中に硬貨釣銭機１００や紙幣釣銭機２００の機体内から取り出された貨幣やトレーニング後に硬貨釣銭機１００や紙幣釣銭機２００の機体内に残った貨幣の取り扱いに悩むことがなくなる。
【００８１】
なお、硬貨釣銭機１００や紙幣釣銭機２００の機体内に収納されている硬貨や紙幣の在高が上位制御部１２０により把握されている場合には（ＳＴＥＰ８の「ＹＥＳ」）、このような精査処理を行うことを省略することもできる。例えば、トレーニングモードの種類として「入金操作体験」や「出金操作体験」が選択されたときには、操作者により入金処理や出金処理のトレーニングが行われる際に、硬貨識別部１０１や紙幣識別部２０１による硬貨や紙幣の識別結果に基づいて硬貨釣銭機１００や紙幣釣銭機２００の機体内に収納された硬貨や紙幣の在高情報がリアルタイムで更新されるため、トレーニングモードが行われた後の硬貨釣銭機１００や紙幣釣銭機２００における在高が上位制御部１２０により把握されるようになる。
【００８２】
また、トレーニングモードが行われた後に、初期在高が０ではないと判定手段１３７により判定されたときに（ＳＴＥＰ６の「ＮＯ」）、硬貨釣銭機１００や紙幣釣銭機２００の機体内に収納されている硬貨や紙幣の在高が上位制御部１２０により把握されると、比較手段１４０は、初期在高取得手段１３６により取得された初期在高と、精査処理により検知された硬貨や紙幣の在高（あるいは、上位制御部１２０により把握されている硬貨や紙幣の在高）とを比較する。また、比較結果出力手段１４２は、比較手段１４０による比較結果を出力する（ＳＴＥＰ１０）。具体的には、比較手段１４０による比較結果は操作表示部１１２に表示されたり、あるいはＰＯＳレジスタ３００に送信されて当該ＰＯＳレジスタ３００の表示部３０２に表示されたりするようになる。
【００８３】
また、比較手段１４０による比較結果に基づいて、硬貨や紙幣の各金種において、初期在高取得手段１３６により取得された初期在高と、精査処理により検知された硬貨や紙幣の在高（あるいは、上位制御部１２０により把握されている硬貨や紙幣の在高）とが異なる場合には、両者の間の差異を修正するような修正処理が硬貨や紙幣の金種毎に行われる。具体的には、硬貨や紙幣のある金種において、トレーニングモードが行われた後の硬貨釣銭機１００や紙幣釣銭機２００における硬貨や紙幣の在高が初期在高よりも大きい場合には（ＳＴＥＰ１１の「ＹＥＳ」）、上位制御部１２０が硬貨釣銭機制御部１３０や紙幣釣銭機制御部２３０に指令を送ることにより、差分の硬貨や紙幣を硬貨釣銭機１００や紙幣釣銭機２００の機体外に投出させるようにする（ＳＴＥＰ１２）。
【００８４】
ここで、トレーニングモードが行われた後の硬貨釣銭機１００や紙幣釣銭機２００におけるある金種の硬貨や紙幣の在高が初期在高よりも大きい場合において、上位制御部１２０は、自動的に差分の硬貨や紙幣を硬貨釣銭機１００や紙幣釣銭機２００の機体外に投出させてもよいし、あるいは、差分の硬貨や紙幣を硬貨釣銭機１００や紙幣釣銭機２００の機体外に投出させることの承認を求める画面を操作表示部１１２に表示させ、操作者による承認が操作表示部１１２により入力されたときに、差分の硬貨や紙幣を硬貨釣銭機１００や紙幣釣銭機２００の機体外に投出させてもよい。
【００８５】
トレーニングモードが行われた後の硬貨釣銭機１００や紙幣釣銭機２００におけるある金種の硬貨や紙幣の在高が初期在高よりも大きい場合には、トレーニングモードにおいて余分な硬貨や紙幣（すなわち、硬貨釣銭機１００や紙幣釣銭機２００において初期在高に含まれない硬貨や紙幣）が硬貨釣銭機１００や紙幣釣銭機２００の機体内に収納されたと考えられるため、上記の処理を行うことによってこのような余分な硬貨や紙幣を硬貨釣銭機１００や紙幣釣銭機２００の機体外に投出させることにより、上位制御部１２０において在高異常が発生することを防止することができるようになる。
【００８６】
また、比較手段１４０による比較結果において、トレーニングモードが行われた後の硬貨釣銭機１００や紙幣釣銭機２００におけるある金種の硬貨や紙幣の在高が初期在高よりも小さい場合には（ＳＴＥＰ１３の「ＹＥＳ」）、上位制御部１２０は、差分の貨幣を硬貨釣銭機１００や紙幣釣銭機２００の機体内に投入することを操作者に促す旨の情報を出力する（ＳＴＥＰ１４）。上位制御部１２０により出力された上記の情報は、操作表示部１１２に表示されたり、あるいはＰＯＳレジスタ３００に送信されて当該ＰＯＳレジスタ３００の表示部３０２に表示されたりする。操作表示部１１２やＰＯＳレジスタ３００の表示部３０２に表示された上記の情報を操作者が視認することにより差分の貨幣を硬貨釣銭機１００や紙幣釣銭機２００の機体内に投入すると、硬貨釣銭機１００や紙幣釣銭機２００において実行される処理モードがトレーニングモードから通常モードに戻るようになる。
【００８７】
トレーニングモードが行われた後の硬貨釣銭機１００や紙幣釣銭機２００におけるある金種の硬貨や紙幣の在高が初期在高よりも小さい場合には、トレーニングモードにおいて硬貨釣銭機１００や紙幣釣銭機２００から機体外に取り出された硬貨や紙幣を硬貨釣銭機１００や紙幣釣銭機２００の機体内に戻さなければならないのに機体内に戻されなかったと考えられるため、上記の処理を行うことによって操作者が差分の貨幣を硬貨釣銭機１００や紙幣釣銭機２００の機体内に投入することにより、上位制御部１２０において在高異常が発生することを防止することができるようになる。
【００８８】
また、比較手段１４０による比較結果に基づいて、硬貨や紙幣の各金種において、初期在高取得手段１３６により取得された初期在高と、精査処理により検知された硬貨や紙幣の在高（あるいは、上位制御部１２０により把握されている硬貨や紙幣の在高）とが異なる場合に、両者の間の差異を修正するような上記の修正処理が行われる代わりに、上位制御部１２０において管理される、硬貨釣銭機１００や紙幣釣銭機２００における硬貨や紙幣の在高として、初期在高取得手段１３６により取得された初期在高ではなく精査処理により検知された硬貨や紙幣の在高を用いることにより、引き続き硬貨釣銭機１００や紙幣釣銭機２００において通常の処理モードを行うようにしてもよい。この場合にも、上位制御部１２０において管理される、硬貨釣銭機１００や紙幣釣銭機２００における硬貨や紙幣の在高を最新のものとすることにより、上位制御部１２０において在高異常が発生することを防止することができるようになる。
【００８９】
また、比較手段１４０による比較結果に基づいて、硬貨や紙幣の全ての金種において、初期在高取得手段１３６により取得された初期在高と、精査処理により検知された硬貨や紙幣の在高（あるいは、上位制御部１２０により把握されている硬貨や紙幣の在高）とが一致する場合には（ＳＴＥＰ１１の「ＮＯ」、ＳＴＥＰ１３の「ＮＯ」）、上記の修正処理が行われることなく、硬貨釣銭機１００や紙幣釣銭機２００において実行される処理モードがトレーニングモードから通常モードに戻るようになる。
【００９０】
以上のような構成からなる本実施の形態の貨幣釣銭機およびこのような貨幣釣銭機を備えた貨幣処理システムによれば、少なくともトレーニングモードを行うことを選択できる選択手段１１３と、トレーニングモードが行われる前における硬貨釣銭機１００や紙幣釣銭機２００に収納されている硬貨や紙幣の在高である初期在高を取得する初期在高取得手段１３６と、初期在高取得手段１３６により取得された初期在高が０であるか否かを判定する判定手段１３７と、トレーニングモードが行われた後に、初期在高が０であるか否かという判定手段１３７による判定結果によって異なる処理を行う後処理実行手段１３８とを備えている。このことにより、トレーニングモードが行われた後に、初期在高が０であるか否かという判定結果によって異なる処理を行うことができるため、トレーニングモードが行われた貨幣釣銭機がトレーニング専用のものかあるいは運用中のものかが分からない場合でも、当該貨幣釣銭機がトレーニング専用のものかあるいは運用中のものかを自動的に判別することによりトレーニングモードが行われた後の処理を適切に行うことができるようになる。このため、トレーニング中に操作者により取り出された貨幣やトレーニング後に硬貨釣銭機１００や紙幣釣銭機２００の機体内に残った硬貨や紙幣を適切に処理することができる。
【００９１】
また、本発明の貨幣釣銭機およびこのような貨幣釣銭機を備えた貨幣処理システムにおいては、上述したように、後処理実行手段１３８は、トレーニングモードが行われた後に、初期在高が０であると判定手段１３７により判定されたときに硬貨釣銭機１００や紙幣釣銭機２００の機体内に収納されている硬貨や紙幣を全て機体外に投出するようになっている。初期在高が０であると判定手段１３７により判定されたときには、貨幣釣銭機はトレーニング専用のものであると考えられるため、硬貨釣銭機１００や紙幣釣銭機２００の機体内に収納されている硬貨や紙幣を全て機体外に投出することにより、操作者はトレーニングモードで用いられた貨幣の取り扱いに悩むことがなくなる。また、硬貨釣銭機１００や紙幣釣銭機２００の機体内に収納されている硬貨や紙幣を全て機体外に投出することにより、トレーニング専用の貨幣釣銭機において次回のトレーニングをスムーズに行うことができるようになる。
【００９２】
また、本発明の貨幣釣銭機およびこのような貨幣釣銭機を備えた貨幣処理システムにおいては、上述したように、後処理実行手段１３８は、トレーニングモードが行われた後に、初期在高が０ではないと判定手段１３７により判定されたときに硬貨釣銭機１００や紙幣釣銭機２００の機体内に収納されている硬貨や紙幣の在高を確認する処理である精査処理を行うようになっている。初期在高が０ではないと判定手段１３７により判定された場合には、貨幣釣銭機は運用中のものであると考えられるため、硬貨釣銭機１００や紙幣釣銭機２００の機体内に収納されている硬貨や紙幣の在高を精査処理によって確認することにより、操作者はトレーニング中に硬貨釣銭機１００や紙幣釣銭機２００の機体内から取り出された貨幣やトレーニング後に硬貨釣銭機１００や紙幣釣銭機２００の機体内に残った貨幣の取り扱いに悩むことがなくなる。
【００９３】
また、本発明の貨幣釣銭機およびこのような貨幣釣銭機を備えた貨幣処理システムにおいては、上述したように、初期在高と精査処理により検知された貨幣の在高とを比較する比較手段１４０、および比較手段１４０による比較結果を出力する比較結果出力手段１４２がそれぞれ設けられている。この場合には、操作者は、比較手段１４０による、初期在高と精査処理により検知された貨幣の在高との比較結果に基づいて、両者の間に差異が存在するか否かを認識することができるようになる。
【００９４】
また、本発明の貨幣釣銭機およびこのような貨幣釣銭機を備えた貨幣処理システムにおいては、上述したように、比較手段１４０により、精査処理により検知された貨幣の在高が初期在高よりも大きいと判断された場合には、精査処理により検知された貨幣の在高と初期在高との差分の硬貨や紙幣を硬貨釣銭機１００や紙幣釣銭機２００の機体外に投出することを可能としている。一方、比較手段１４０により、精査処理により検知された貨幣の在高が初期在高よりも小さいと判断された場合には、比較結果出力手段１４２は、精査処理により検知された貨幣の在高と初期在高との差分の硬貨や紙幣を硬貨釣銭機１００や紙幣釣銭機２００の機体内に投入することを操作者に促す旨の情報も出力する。これらの技術的特徴により、初期在高と精査処理により検知された貨幣の在高との間に差異が存在する場合でも、両者の間の差異を修正するような修正処理を行うことにより、上位制御部１２０において在高異常が発生することを防止することができるようになる。
【００９５】
また、本発明の貨幣釣銭機およびこのような貨幣釣銭機を備えた貨幣処理システムにおいては、上述したように、比較結果出力手段１４２により出力された情報を表示する表示部として操作表示部１１２が設けられている。
【００９６】
また、本発明の貨幣釣銭機およびこのような貨幣釣銭機を備えた貨幣処理システムにおいては、上述したように、後処理実行手段１３８は、トレーニングモードが行われた後に、初期在高が０ではないと判定手段１３７により判定されたときに硬貨釣銭機１００や紙幣釣銭機２００の機体内に収納されている硬貨や紙幣の在高を把握している場合には、（ｉ）トレーニングモードが行われた後の貨幣の在高が初期在高よりも大きいときには、この貨幣の在高と初期在高との差分の硬貨や紙幣を硬貨釣銭機１００や紙幣釣銭機２００機体外に投出することを可能とし、（ｉｉ）トレーニングモードが行われた後の貨幣の在高が初期在高よりも小さいときには、この貨幣の在高と初期在高との差分の硬貨や紙幣を硬貨釣銭機１００や紙幣釣銭機２００の機体内に投入することを操作者に促す旨の情報を出力するようになっている。このように、トレーニングモードが行われた後に、上位制御部１２０が硬貨釣銭機１００や紙幣釣銭機２００の機体内に収納されている硬貨や紙幣の在高を把握している場合には、精査処理を行わなくても、初期在高とトレーニングモードが行われた後の貨幣の在高との間の差異を修正するような修正処理を適切に行うことができるようになり、よって上位制御部１２０において在高異常が発生することを防止することができるようになる。
【００９７】
なお、本実施の形態による貨幣釣銭機やこのような貨幣釣銭機を備えた貨幣処理システムは、上述したような態様に限定されることはなく、様々な変更を加えることができる。
【００９８】
例えば、選択手段１１３によりトレーニングモードを行うことが選択されたときに、硬貨釣銭機１００や紙幣釣銭機２００に収納されている硬貨や紙幣の在高が不明確である場合には、トレーニングモードが行われる前に、硬貨釣銭機１００や紙幣釣銭機２００の機体内に収納されている硬貨や紙幣の在高を確認する処理である精査処理が行われるようになっていてもよい。この場合には、初期在高取得手段１３６は、トレーニングモードの前に行われる精査処理により検知された貨幣の在高を初期在高とする。このように、選択手段１１３によりトレーニングモードを行うことが選択されたときに硬貨釣銭機１００や紙幣釣銭機２００に収納されている硬貨や紙幣の在高が不明確である場合でも、トレーニングモードを行う前に精査処理を行うことにより、トレーニングモードが行われた貨幣釣銭機がトレーニング専用のものかあるいは運用中のものかを自動的に判別することができるようになり、よってトレーニングモードが行われた後の処理を適切に行うことができるようになる。
【００９９】
また、上記の説明では、硬貨釣銭機１００、紙幣釣銭機２００、棒金収納装置４００およびＰＯＳレジスタ３００を備えた貨幣処理システムについて述べたが、本実施の形態による貨幣処理システムはこのような態様のものに限定されることはない。本実施の形態による貨幣処理システムの他の例として、硬貨釣銭機１００、紙幣釣銭機２００および棒金収納装置４００を備えたもの（すなわち、ＰＯＳレジスタ３００が設けられていないもの）が用いられてもよい。また、本実施の形態による貨幣処理システムの更に他の例として、硬貨釣銭機１００、棒金収納装置４００およびＰＯＳレジスタ３００を備えたもの、硬貨釣銭機１００およびＰＯＳレジスタ３００を備えたもの、紙幣釣銭機２００およびＰＯＳレジスタ３００を備えたもの、硬貨釣銭機１００単体のもの、あるいは紙幣釣銭機２００単体のもの等が用いられてもよい。
【０１００】
また、上記の説明では、選択手段１１３、初期在高取得手段１３６、判定手段１３７、後処理実行手段１３８、比較手段１４０および比較結果出力手段１４２が全て硬貨釣銭機１００に設けられた態様について述べたが、本実施の形態による貨幣処理システムはこのような態様のものに限定されることはない。本実施の形態による貨幣処理システムの他の例として、選択手段１１３、初期在高取得手段１３６、判定手段１３７、後処理実行手段１３８、比較手段１４０および比較結果出力手段１４２のうち一部または全部が硬貨釣銭機１００ではなく紙幣釣銭機２００やＰＯＳレジスタ３００、棒金収納装置４００等に設けられたものが用いられもよい。
【０１０１】
また、硬貨釣銭機１００や紙幣釣銭機２００において精査処理が行われるときの動作は上述したものに限定されることはない。例えば硬貨釣銭機１００において、硬貨受入部１１４により筐体１１０の内部に受け入れられて硬貨識別部１０１により識別された硬貨を硬貨収納部１０６に送る前に一時的に保留する入金一時保留部（図示せず）が設けられている場合には、精査処理においてこのような入金一時保留部が用いられるようになっていてもよい。具体的には、上位制御部１２０に精査処理開始の指令が与えられると、硬貨収納部１０６から繰り出された硬貨が入金一時保留部に送られる。そして、硬貨収納部１０６から入金一時保留部に硬貨が全て送られるとこの入金一時保留部から元の硬貨収納部１０６に硬貨が戻され、この際に識別部により硬貨の識別が行われるようになる。精査処理ではこのような動作が６つの硬貨収納部１０６に収納された硬貨について金種ごとに行われる。
【０１０２】
また、紙幣釣銭機２００において、精査処理が行われる際に紙幣回収カセット２０７が用いられる代わりに３つの紙幣収納部２０６のうちある１つの紙幣収納部２０６（例えば、一万円札用の紙幣収納部２０６）が精査用の紙幣収納部２０６として用いられてもよい。具体的には、上位制御部１２０に精査処理開始の指令が与えられると、まず一万円札用の紙幣収納部２０６から紙幣（一万円札）が繰り出されて二千円札および五千円札用（以下、単に五千円札用という）の紙幣収納部２０６に収納され、このことにより一万円札用の紙幣収納部２０６が空となる。次に、千円札用の紙幣収納部２０６から紙幣（千円札）が繰り出され、空となった一万円札用の紙幣収納部２０６に送られる。この際に、紙幣識別部２０１により千円札の識別が行われる。そして、千円札用の紙幣収納部２０６から一万円札用の紙幣収納部２０６に紙幣が全て送られて千円札用の紙幣収納部２０６が空になると、この一万円札用の紙幣収納部２０６から千円札用の紙幣収納部２０６に紙幣が戻される。次に、五千円札用の紙幣収納部２０６から紙幣（二千円札、五千円札および一万円札）が繰り出され、空となった一万円札用の紙幣収納部２０６に送られる。この際に、紙幣識別部２０１により二千円札、五千円札および一万円札の識別が行われる。そして、一万円札用の紙幣収納部２０６から二千円札および五千円札のみが繰り出され、五千円札用の紙幣収納部２０６に戻される。このようにして、紙幣釣銭機２００において紙幣の精査処理が完了する。
【０１０３】
また、更なる変形例に係る貨幣処理機として、硬貨収納部や紙幣収納部に収納されている硬貨や紙幣の在高を確認するにあたり、機体内で硬貨や紙幣を循環させるのではなく、硬貨収納部や紙幣収納部に収納されている硬貨や紙幣を全て貨幣処理機の機体外に払い出して在高を確認した後に、払い出された全ての硬貨や紙幣を貨幣処理機の機体内に再投入するようなタイプのものが用いられてもよい。このような更なる変形例に係る貨幣処理機の動作について以下に説明する。
【０１０４】
上記の更なる変形例に係る貨幣処理機では、トレーニングモードが行われる前における貨幣処理機に収納されている紙幣や硬貨の在高である初期在高は初期在高取得手段により事前に取得されている。そして、初期在高が０ではない場合には、トレーニングモードが行われた後、タッチパネル等の操作表示部において精査処理が必要な旨のメッセージが表示され、当該操作表示部において承認操作を受け付けることができるようになる。その後、操作者が操作表示部において承認操作を行うと、硬貨収納部や紙幣収納部に収納されている硬貨や紙幣が全て貨幣処理機の機体外に払い出される。この際に、硬貨収納部や紙幣収納部から繰り出された硬貨や紙幣が識別部によって識別されることにより貨幣処理機における硬貨や紙幣の在高が確認される。そして、払い出された全ての硬貨や紙幣を操作者が貨幣処理機に再投入すると、投入された硬貨や紙幣について識別部により識別が行われ、これらの投入された硬貨や紙幣の在高と初期在高取得手段により取得された初期在高とが比較される。ここで、硬貨や紙幣の各金種について、貨幣処理機に再投入された貨幣の在高が初期在高よりも大きい場合には、余分な硬貨や紙幣は貨幣処理機の機体外に投出されるとともに操作表示部には余分な硬貨や紙幣を返却する旨のメッセージが表示される。なお、貨幣処理機に再投入された貨幣の在高が初期在高よりも大きい場合に、まず操作表示部に余分な硬貨や紙幣を返却する旨のメッセージが表示され、操作者による承認操作が受け付けられた後に余分な硬貨や紙幣が貨幣処理機の機体外に投出されるようになっていてもよい。一方、硬貨や紙幣の各金種について、貨幣処理機に再投入された貨幣の在高が初期在高よりも小さい場合には、操作表示部には不足貨幣の追加投入を操作者に求める旨のメッセージが表示され、操作者に対して注意喚起が行われるようになる。
【０１０５】
また、上記の更なる変形例に係る貨幣処理機において、初期在高が０である場合には、トレーニングモードが行われた後、硬貨収納部や紙幣収納部に収納されている硬貨や紙幣が全て貨幣処理機の機体外に払い出される。この場合には、払い出された硬貨や紙幣を貨幣処理機に再投入することができないようになり、もし仮に操作者が誤って硬貨や紙幣を貨幣処理機に投入した場合にはエラーとなる。
【符号の説明】
【０１０６】
１００    硬貨釣銭機
１０１    硬貨識別部
１０３    入金搬送部
１０４    分岐部
１０６    硬貨収納部
１０８    出金搬送部
１１０    筐体
１１２    操作表示部
１１３    選択手段
１１４    硬貨受入部
１１６    硬貨払出部
１１８    シャッタ
１２０    上位制御部
１３０    硬貨釣銭機制御部
１３２    インターフェース
１３４    記憶部
１３６    初期在高取得手段
１３７    判定手段
１３８    後処理実行手段
１４０    比較手段
１４２    比較結果出力手段
１７０    補助収納部
１７１    繰出搬送部
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２３２    インターフェース
３００    ＰＯＳレジスタ
３０２、３０２ａ    表示部
３０４    操作部
３３０    ＰＯＳ制御部
３３２    インターフェース
３３４    記憶部
３３６    カードリーダ
３３８    印字部
４００    棒金収納装置
４１０    筐体
４１２    収納ドロア
４１４    棒金検知部
４１４ａ  光センサ
４１４ｂ  ロータリエンコーダ
４１６    ロック部
４３０    棒金収納装置制御部
４３２    インターフェース
４３４    記憶部
【図１】
0006335669.tif 000002
【図２】
0006335669.tif 000003
【図３】
0006335669.tif 000004
【図４】
0006335669.tif 000005
【図５】
0006335669.tif 000006
【図６】
0006335669.tif 000007
【図７】
0006335669.tif 000008